(57)【特許請求の範囲】
【請求項１】
照明機器などの負荷機器を監視制御する監視制御装置と、この監視制御装置に、通信ネットワークを介して接続される通信端末装置とを組み合わせて構成される監視制御システムにおいて、
上記監視制御装置は、
上記通信端末装置より、上記通信ネットワークを介して、上記負荷機器の監視制御データの送信を要求する送信要求データを受信したときには、上記通信端末装置に対して、上記送信要求データを受信した時刻に応じて、容量の異なる監視制御データを選択的に送信できる構成であり、
予め設定された所定時間帯内の時刻に送信要求データを受信した場合に送信する監視制御データの容量を、当該所定時間帯以外の時刻に送信要求データを受信した場合に送信する監視制御データの容量よりも小さくすることを特徴とする、監視制御システム。
【請求項２】
請求項１において、
上記監視制御装置は、更に、上記通信端末装置より上記送信要求データが送信された上記通信ネットワークにおけるデータ転送速度が速くなるほど、容量の大きい監視制御データを選択的に送信できる構成とした監視制御システム。
【請求項３】
請求項２において、
上記監視制御装置は、
上記所定時間帯内の時刻に、上記通信ネットワークを介して、所定の速度よりも遅いデータ転送速度で、送信要求データを受信した場合に、第１監視制御データを送信し、
上記所定時間帯内の時刻に、上記通信ネットワークを介して、所定の速度よりも速いデータ転送速度で、送信要求データ受信をした場合に、上記第１監視制御データよりデータ容量が大きい第２監視制御データを送信し、
上記所定時間帯以外の時刻に、上記通信ネットワークを介して、所定の速度よりも遅いデータ転送速度で、送信要求データを受信した場合に、第３監視制御データを送信し、
上記所定時間帯以外の時刻に、上記通信ネットワークを介して、所定の速度よりも速いデータ転送速度で、送信要求データを受信した場合に、上記第３監視制御データよりデータ容量が大きい第４監視制御データを送信し、
上記第１乃至第４監視制御データのうち、上記第１監視制御データのデータ容量が最も小さく、上記第４監視制御データのデータ容量が最も大きい監視制御システム。
【請求項４】
照明機器などの負荷機器を監視制御する監視制御装置と、この監視制御装置に、通信ネットワークを介して接続される通信端末装置とを組み合わせて構成される監視制御システムにおいて、
上記監視制御装置は、上記通信端末装置より、上記通信ネットワークを介して、上記負荷機器の監視制御データの送信を要求する送信要求データを受信したときには、上記通信端末装置に対して、上記通信ネットワークにおけるデータ転送速度が速いほど、容量の大きい監視制御データを選択的に送信できる構成とし、さらに
上記負荷機器の監視制御状況に応じて、前記監視制御データの容量を異ならせることを特徴とする監視制御システム。
【発明の詳細な説明】
【技術分野】
【０００１】
本発明は、照明機器などの負荷機器を監視制御する監視制御装置と、この監視制御装置に、通信ネットワークを介して接続される通信端末装置とを組み合わせて構成される監視制御システムの改良に関する。
【背景技術】
【０００２】
従来より、ビルなどにおいて、監視制御システムが導入されている。このような監視制御システムは、建物内の適所に設置される、照明機器などの負荷機器を監視制御する監視制御装置に、パーソナルコンピュータなどの通信端末装置を、広域ネットワーク（ＷＡＮ）あるいは構内ネットワーク（ＬＡＮ）で構成される通信ネットワークを介して接続することで構成されており、通信端末装置より監視制御装置に対し指示を与えることで、負荷機器を遠隔より監視制御できるようになっている。
【０００３】
従来より、ビルなどにおいて、監視制御システムが導入されている。このような監視制御システムは、建物内の適所に設置される、照明機器などの負荷機器を監視制御する監視制御装置に、パーソナルコンピュータなどの通信端末装置を、広域ネットワーク（ＷＡＮ）あるいは構内ネットワーク（ＬＡＮ）で構成される通信ネットワークを介して接続することで構成されており、通信端末装置より監視制御装置に対し指示を与えることで、負荷機器を遠隔より監視制御できるようになっている。
【０００４】
ところで、このような負荷機器の状態データは、監視制御装置に、複数のコンテンツとして格納されており、監視制御装置は、通信端末装置より送信要求データを受信したときには、負荷機器の状態に対応した状態データを選択して送信するようになっている
【先行技術文献】
【特許文献】
【０００５】
【特許文献１】特開平１１−００８７１０号公報
【特許文献２】特開平１０−３２７２００号公報
【発明の概要】
【発明が解決しようとする課題】
【０００６】
しかしながら、このような状態データは、通信ネットワークを送受されるデータや信号の混み具合いや、通信端末装置のデータ処理能力などに関係なく一律に送信される。このため、通信端末装置が高機能、高性能なものから携帯端末まで多様化し、通信ネットワークの構成要素も増えた今日では、同一の状態データで対応するには限界があり、例えば、広域ネットワーク（ＬＡＮ）に接続されるＵＮＩＸ（登録商標）対応の通信端末装置に送信すべく作成された状態データは、その容量が大きいため、通信ネットワークを送受されるデータや信号が混み合っていたり、通信端末装置のデータ処理能力が低い場合などでは、通信端末装置側で負荷機器の状態を確認するのに時間がかかり、応答性の悪いシステムとなってしまう。
【０００７】
これを解決するため、例えば、通信ネットワークの構成要素や、通信端末装置の機能をユーザーに推奨する対策が考えられるが、オープンシステムが主流となった今日では、このように限定するのはユーザーにとって大きな不利益を招くこととなり、本質的な解決策とはならなかった。本発明は、上記事情を考慮してなされたものであり、監視制御装置が、通信端末装置より、通信ネットワークを介して送信要求データを受信したときには、通信ネットワークの構成要素や通信端末装置の機能などに応じて、最適な監視制御データを返信することのできる監視制御システム、および監視制御装置にそのような機能を実行させることのできるプログラム記録媒体を提供することを目的としている。
【課題を解決するための手段】
【０００８】
上記目的を達成するために、本発明の監視制御システムは、照明機器などの負荷機器を監視制御する監視制御装置と、この監視制御装置に、通信ネットワークを介して接続される通信端末装置とを組み合わせて構成される監視制御システムにおいて、上記監視制御装置は、上記通信端末装置より、上記通信ネットワークを介して、上記負荷機器の監視制御データの送信を要求する送信要求データを受信したときには、上記通信端末装置に対して、上記送信要求データを受信した時刻に応じて、容量の異なる監視制御データを選択的に送信できる構成であり、予め設定された所定時間帯内の時刻に送信要求データを受信した場合に送信する監視制御データの容量を、当該所定時間帯以外の時刻に送信要求データを受信した場合に送信する監視制御データの容量よりも小さくすることを特徴とする。
【０００９】
このような監視制御システムにおいて、上記監視制御装置は、更に、上記通信端末装置より上記送信要求データが送信された上記通信ネットワークにおけるデータ転送速度が速くなるほど、容量の大きい監視制御データを選択的に送信できる構成としてもよい。
このとき、上記監視制御装置は、上記所定時間帯内の時刻に、上記通信ネットワークを介して、所定の速度よりも遅いデータ転送速度で、送信要求データを受信した場合に、第１監視制御データを送信し、上記所定時間帯内の時刻に、上記通信ネットワークを介して、所定の速度よりも速いデータ転送速度で、送信要求データ受信をした場合に、上記第１監視制御データよりデータ容量が大きい第２監視制御データを送信し、上記所定時間帯以外の時刻に、上記通信ネットワークを介して、所定の速度よりも遅いデータ転送速度で、送信要求データを受信した場合に、第３監視制御データを送信し、上記所定時間帯以外の時刻に、上記通信ネットワークを介して、所定の速度よりも速いデータ転送速度で、送信要求データを受信した場合に、上記第３監視制御データよりデータ容量が大きい第４監視制御データを送信し、上記第１乃至第４監視制御データのうち、上記第１監視制御データのデータ容量が最も小さく、上記第４監視制御データのデータ容量が最も大きいものとする。
【００１０】
また本発明の監視制御システムは、照明機器などの負荷機器を監視制御する監視制御装置と、この監視制御装置に、通信ネットワークを介して接続される通信端末装置とを組み合わせて構成される監視制御システムにおいて、上記監視制御装置は、上記通信端末装置より、上記通信ネットワークを介して、上記負荷機器の監視制御データの送信を要求する送信要求データを受信したときには、上記通信端末装置に対して、上記通信ネットワークにおけるデータ転送速度が速いほど、容量の大きい監視制御データを選択的に送信できる構成とし、さらに上記負荷機器の監視制御状況に応じて、前記監視制御データの容量を異ならせてもよい。
【発明の効果】
【００１１】
本発明によると、監視制御装置は、通信端末装置より、通信ネットワークを介して、負荷機器の監視制御データの送信を要求する送信要求データを受信したときには、通信ネットワークを送受されるデータや信号の混み具合いや、通信端末装置のデータ処理能力などに応じて、最適な監視制御データを送信することができ、通信端末装置側で負荷機器の状態を早く確認できることができるようになり、応答性を向上させることができる。
【００１２】
そして、監視制御装置は、通信端末装置より、通信ネットワークを介して、負荷機器の監視制御データの送信を要求する送信要求データを受信したときには、通信端末装置に対して、送信要求データを受信した時刻に応じて異なる種類の監視制御データを選択的に送信するので、例えば、早朝など、通信端末装置からの要求が多い時間帯は、容量の小さいデータを送信する一方、要求が少ない時間帯は、容量の小さいデータを送信するようにすれば、良好な応答性を確保することができる。
【００１３】
又、監視制御装置は、通信端末装置より、通信ネットワークを介して、負荷機器の監視制御データの送信を要求する送信要求データを受信したときには、通信端末装置に対して、負荷機器の監視制御状況に応じて、異なる種類の監視制御データを選択的に送信するので、例えば、監視制御装置の制御手段が、負荷機器の監視制御をしているときには、容量の小さいデータを送信する一方、負荷機器の監視制御をしていないときには、容量の大きなデータを送信するようにすれば、良好な応答性を確保することができる。
【図面の簡単な説明】
【００１４】
【図１】は、本発明の監視制御システムの具体的な構成の一例について示す図である。
【図２】は、監視制御装置の内部構成の一例を示す図である。
【図３】は、監視制御データの構成を説明するための図である。
【図４】は、記憶部の構成の一例を示す図である。
【図５】は、本発明の第１の動作例について説明するためのフローチャートである。
【図６】は、本発明の第２の動作例について説明するためのフローチャートである。
【図７】は、本発明の第３の動作例について説明するためのフローチャートである。
【図８】は、本発明の第４の動作例について説明するためのフローチャートである。
【図９】は、本発明の第５の動作例について説明するためのフローチャートである。
【図１０】は、本発明の第６の動作例について説明するためのフローチャートである。
【図１１】は、本発明の第７の動作例について説明するためのフローチャートである。
【図１２】は、本発明の第８の動作例について説明するためのフローチャートである。
【図１３】は、本発明の第９の動作例について説明するためのフローチャートである。
【図１４】は、本発明の第１０の動作例について説明するためのフローチャートである。
【図１５】は、本発明の第１１の動作例について説明するためのフローチャートである。
【図１６】は、本発明の第１２の動作例について説明するためのフローチャートである。
【図１７】は、本発明の第１３の動作例について説明するためのフローチャートである。
【図１８】は、本発明の第１４の動作例について説明するためのフローチャートである。
【図１９】は、本発明の第１５の動作例について説明するためのフローチャートである。
【図２０】は、本発明の第１６の動作例について説明するためのフローチャートである。
【図２１】は、本発明の第１７の動作例について説明するためのフローチャートである。
【図２２】は、本発明の第１８の動作例について説明するためのフローチャートである。
【図２３】は、本発明の第１９の動作例について説明するためのフローチャートである。
【図２４】は、本発明の第２０の動作例について説明するためのフローチャートである。
【図２５】は、本発明の第２１の動作例について説明するためのフローチャートである。
【発明を実施するための形態】
【００１５】
以下に、本発明の実施の形態について、図面とともに説明する。図１は、本発明の監視制御システムの具体的な構成の一例について示す図である。このシステムでは、監視制御装置１は、多重伝送線Ｌを介してのポーリングにより、端末器２を常時監視制御している。
【００１６】
監視制御装置１は、通信ネットワークとして構内ネットワーク（ＬＡＮ）を接続するためのイーサネット（登録商標）ボード１Ａと、通信ネットワークとして広域ネットワーク（ＷＡＮ）を接続するためのモデムボード１Ｂ，ＩＳＤＮボード１Ｃとを備えており、イーサネットボード１Ａに接続される構内ネットワーク、あるいは、モデムボード１Ｂ，ＩＳＤＮボード１Ｃに接続される広域ネットワークには、パーソナルコンピュータなどで構成される通信端末装置ＰＣが接続されている。
【００１７】
なお、ここでは、広域ネットワークとして、電話回線網（アナログ回線網）、インターネット、ＩＳＤＮ回線網（デジタル回線網）、無線通信網を用いて構成しているが、本発明はこの例に限られず、専用線などを用いて構成してもよい。また、図中、Ｍはモデム、ＴＡはターミナルアダプタを示している。監視制御装置１は、図２に示すような内部構成をしており、以下の各部を制御するＣＰＵ１０と、イーサネットボード１１Ａ、モデムボード１１Ｂ、ＩＳＤＮボード１１Ｃで構成され、通信端末装置ＰＣとの間で、通信ネットワークを介しての通信をするための通信部１１と、通信端末装置ＰＣからの要求に応じて監視制御データを作成するための監視制御データ作成部１２と、多重伝送線Ｌを介してのポーリングにより、端末器２の監視制御をするための監視制御部１３と、この監視制御装置１が動作するために必要な各種プログラムなどを記憶する記憶部１４と、フロッピーディスク（登録商標）やＣＤ−ＲＯＭなどのプログラム記録媒体１８に記録されたプログラムを読み取る媒体読取部１５と、通信ネットワークの構成要素やそれにおける信号あるいはデータの送受信状況など、回線品質を判断する回線判断部１６と、現在時刻や通信端末装置ＰＣのデータ処理能力などの、回線品質以外の要因を判断する回線以外判断部１７と、現在時刻を計時する時計部１９とを備える。
【００１８】
監視制御データ作成部１２は、通信端末装置ＰＣから監視制御データの送信要求を受けたとき、例えば、照明機器３の作動状態を示す状態データの送信要求を受けたときには、後述するＣＧＩプログラムによって、図３に示すような５種類の監視制御データを作成する機能を備えている。このような監視制御データの構成について以下に説明する（なお、ここでは、通信端末装置ＰＣにおける表示イメージを示している）。
【００１９】
図３（ａ）に示す監視制御データは、テキストデータのみで構成されており、約５０バイトのデータ容量を有している。図３（ｂ）に示す監視制御データは、テキストデータと表タグデータとで構成されており、約１キロバイトのデータ容量を有している。図３（ｂ’）に示す監視制御データは、図３（ｂ）に示すデータに、更に、照明機器３の設置場所を示すテキストデータが追加された構成となっており、図３（ｂ）と同様に約１キロバイトのデータ容量を有している。
【００２０】
図３（ｃ）に示す監視制御データは、照明機器３のスイッチのオン、オフ状態を示すイメージデータで構成されており、約５キロバイトのデータ容量を有している。図３（ｄ）に示す監視制御データは、照明機器３の設置場所がより確認しやすいレイアウト図を含むイメージデータで構成されており、約５０キロバイトのデータ容量を有している。
【００２１】
記憶部１４には、媒体読取部１５がプログラム記録媒体１８を読み取ったときに、その媒体に記録されたプログラムが格納されるようになっている。その内部構成を図４に示す。すなわち、記憶部１４には、監視制御データ作成部１２が作成した監視制御データを適時暗号化するための暗号化プログラム、監視制御装置１がＷＷＷサーバとしての機能を実行するためのＷＷＷサーバアプリケーション、監視制御データ作成部１２が監視制御データを作成するためのＣＧＩプログラム、端末器２の監視制御をするための監視制御プログラム、監視制御データを通信端末装置ＰＣに送信するためのプロトコルであるＨＴＴＰ、通信ネットワークの構成要素である構内ネットワークやインターネットに接続するためのプロトコルであるＴＣＰ／ＩＰ、通信ネットワークの構成要素である電話回線網やＩＳＤＮ回線網を介して通信端末装置ＰＣに接続するためのプロトコルであるＰＰＰ、通信端末装置ＰＣに割り付けられたＩＰアドレスや通信ネットワークの構成要素などを保持するためのルーティングテーブル、モデムボード１１Ｂを動作するためのモデムドライバ、ＩＳＤＮボード１１Ｃを動作するためのＩＳＤＮドライバ、イーサネットボード１１Ａを動作するためのイーサネットドライバが格納される。
【００２２】
このような構成における、その特徴的な動作例について、図５〜図２５とともに順次説明する。
【００２３】
図５は、本発明の第１の動作例について説明するためのフローチャートである。監視制御装置１は、その起動時には、イーサネットボード１１Ａにより、構内ネットワークを構成するルーターやハブ（いずれも不図示）などとの間で、所定のネゴシェーションをすることにより、構内ネットワークのデータ転送速度を判別するようになっている。
【００２４】
すなわち、監視制御装置１は、イーサネットボード１１Ａにより、例えば、データ転送速度が１０Ｍｂｐｓか１００Ｍｂｐｓかを判別し、判別したデータ転送速度を、記憶部１４のルーティングテーブルに保持し（Ａ１）、通信端末器ＰＣより、構内ネットワークを介して、照明機器３の監視制御データ、例えば、照明機器３の作動状態を示す状態データの送信を要求する送信要求データを受信すると（Ａ２）、監視制御部１３により端末器２の各々に対して、照明機器３の状態を問い合わせることにより、照明機器３の状態を取得する（Ａ３）。
【００２５】
そして、回線判断部１６は、記憶部１４のルーティングテーブルに保持されたデータ転送速度を判別し（Ａ４）、データ転送速度が１０Ｍｂｐｓのときには、監視制御データ作成部１２は、記憶部１４のＣＧＩプログラムにより、監視制御部１３により取得した照明器具３の状態を基にして、例えば図３（ｃ）のデータを作成する（Ａ５）。
【００２６】
一方、回線判断部１６により判別したデータ転送速度が１００Ｍｂｐｓのときには（Ａ４）、監視制御データ作成部１２は、記憶部１４のＣＧＩプログラムにより、監視制御部１３により取得した照明器具３の状態を基にして、例えば図３（ｄ）のデータを作成する（Ａ６）。その後、イーサネットボード１１Ａは、監視制御データ作成部１２により作成したデータを、構内ネットワークを介して、通信端末装置ＰＣに送信する（Ａ７）。
【００２７】
図６は、本発明の第２の動作例について説明するためのフローチャートである。監視制御装置１は、通信端末器ＰＣより、広域ネットワークを介して、照明機器３の監視制御データ、例えば、照明機器３の作動状態を示す状態データの送信を要求する送信要求データを受信すると（Ｂ１）、その送信要求データの経路情報、すなわち、送信要求データがモデムボード１１Ｂを介して受信されたか、ＩＳＤＮボードを介して受信されたかを示すデータを、記憶部１４のルーティングテーブルに保持した後（Ｂ２）、監視制御部１３により端末器２の各々に対して、照明機器３の状態を問い合わせることにより、照明機器３の状態を取得する（Ｂ３）。
【００２８】
そして、回線判断部１６は、記憶部１４のルーティングテーブルに保持されたデータより、広域ネットワークの構成要素が、電話回線網かＩＳＤＮ回線網であるかを判別し（Ｂ４）、電話回線網であれば、監視制御データ作成部１２は、記憶部１４のＣＧＩプログラムにより、監視制御部１３により取得した照明器具３の状態を基にして、例えば図３（ｂ）のデータを作成する（Ｂ５）。
【００２９】
一方、回線判断部１６における判別をした結果、広域ネットワークの構成要素がＩＳＤＮ回線網であるときには（Ｂ４）、監視制御データ作成部１２は、記憶部１４のＣＧＩプログラムにより、監視制御部１３により取得した照明器具３の状態を基にして、例えば図３（ｃ）のデータを作成する（Ｂ６）。その後、モデムボード１１ＢあるいはＩＳＤＮボード１１Ｃは、監視制御データ作成部１２により作成したデータを、広域ネットワーク、すなわち、電話回線網あるいはＩＳＤＮ回線網を介して、通信端末装置ＰＣに送信する（Ｂ７）。
【００３０】
図７は、本発明の第３の動作例について説明するためのフローチャートである。監視制御装置１は、通信端末器ＰＣより、照明機器３の監視制御データ、例えば、照明機器３の作動状態を示す状態データの送信を要求する送信要求データをモデムＭを介して受信すると（Ｃ１）、そのモデムＭとモデムボード１１Ｂとの接続時に行われる所定のネゴシェーションが完了したときのリザルトコードの値によるエラー訂正機能の有無を示すデータを、記憶部１４のルーティングテーブルに保持した後（Ｃ２）、監視制御部１３により端末器２の各々に対して、照明機器３の状態を問い合わせることにより、照明機器３の状態を取得する（Ｃ３）。
【００３１】
そして、回線判断部１６は、記憶部１４のルーティングテーブルに保持されたデータより、モデムＭにエラー訂正機能があるかどうかを判別し（Ｃ４）、エラー訂正機能がなければ、監視制御データ作成部１２は、記憶部１４のＣＧＩプログラムにより、監視制御部１３により取得した照明器具３の状態を基にして、例えば図３（ａ）のデータを作成する（Ｃ５）。
【００３２】
一方、回線判断部１６における判別をした結果、モデムＭにエラー訂正機能があるとき（データ値がＭＮＰクラス４もしくはＶ．４２のとき）には（Ｃ４）、監視制御データ作成部１２は、記憶部１４のＣＧＩプログラムにより、監視制御部１３により取得した照明器具３の状態を基にして、例えば図３（ｂ）のデータを作成する（Ｃ６）。その後、モデムボード１１Ｂは、監視制御データ作成部１２により作成したデータを、広域ネットワーク、すなわち、電話回線網を介して、通信端末装置ＰＣに送信する（Ｃ７）。
【００３３】
図８は、本発明の第４の動作例について説明するためのフローチャートである。監視制御装置１は、通信端末器ＰＣより、照明機器３の監視制御データ、例えば、照明機器３の作動状態を示す状態データの送信を要求する送信要求データをモデムＭを介して受信すると（Ｄ１）、そのモデムＭとモデムボード１１Ｂとの接続時に行われる所定のネゴシェーションが完了したときのリザルトコードの値によるデータ圧縮機能の有無を示すデータを、記憶部１４のルーティングテーブルに保持した後（Ｄ２）、監視制御部１３により端末器２の各々に対して、照明機器３の状態を問い合わせることにより、照明機器３の状態を取得する（Ｄ３）。
【００３４】
そして、回線判断部１６は、記憶部１４のルーティングテーブルに保持されたデータより、モデムＭにデータ圧縮機能があるかどうかを判別し（Ｄ４）、データ圧縮機能がなければ、監視制御データ作成部１２は、記憶部１４のＣＧＩプログラムにより、監視制御部１３により取得した照明器具３の状態を基にして、例えば図３（ａ）のデータを作成する（Ｄ５）。
【００３５】
一方、回線判断部１６における判別をした結果、モデムＭにデータ圧縮機能があるとき（データ値がＭＮＰクラス５もしくはＶ．４２ｂｉｓのとき）には（Ｄ４）、監視制御データ作成部１２は、記憶部１４のＣＧＩプログラムにより、監視制御部１３により取得した照明器具３の状態を基にして、例えば図３（ｂ）のデータを作成する（Ｄ６）。その後、モデムボード１１Ｂは、監視制御データ作成部１２により作成したデータを、広域ネットワーク、すなわち、電話回線網を介して、通信端末装置ＰＣに送信する（Ｄ７）。
【００３６】
図９は、本発明の第５の動作例について説明するためのフローチャートである。監視制御装置１は、通信端末器ＰＣより、照明機器３の監視制御データ、例えば、照明機器３の作動状態を示す状態データの送信を要求する送信要求データをモデムＭを介して受信すると（Ｅ１）、そのモデムＭとモデムボード１１Ｂとの接続時に行われる所定のネゴシェーションが完了したときのログ情報によるヘッダ圧縮アルゴリズムの有無を示すデータを、記憶部１４のルーティングテーブルに保持した後（Ｅ２）、監視制御部１３により端末器２の各々に対して、照明機器３の状態を問い合わせることにより、照明機器３の状態を取得する（Ｅ３）。
【００３７】
そして、回線判断部１６は、記憶部１４のルーティングテーブルに保持されたデータより、通信端末装置ＰＣにヘッダ圧縮アルゴリズムがあるかどうかを判別し（Ｅ４）、ヘッダ圧縮アルゴリズムがなければ、監視制御データ作成部１２は、記憶部１４のＣＧＩプログラムにより、監視制御部１３により取得した照明器具３の状態を基にして、例えば図３（ａ）のデータを作成する（Ｅ５）。
【００３８】
一方、回線判断部１６における判別をした結果、通信端末装置ＰＣにヘッダ圧縮アルゴリズムがあるときには（Ｅ４）、監視制御データ作成部１２は、記憶部１４のＣＧＩプログラムにより、監視制御部１３により取得した照明器具３の状態を基にして、例えば図３（ｂ）のデータを作成する（Ｅ６）。その後、モデムボード１１Ｂは、監視制御データ作成部１２により作成したデータを、広域ネットワーク、すなわち、電話回線網を介して、通信端末装置ＰＣに送信する（Ｅ７）。
【００３９】
なお、図９では、通信端末装置ＰＣより送信要求データをモデムＭを介して受信したときの動作例について説明したが、送信要求データをターミナルアダプタＴＡを介して受信したときについても、同様の動作をする。
【００４０】
図１０は、本発明の第６の動作例について説明するためのフローチャートである。監視制御装置１は、通信端末器ＰＣより、照明機器３の監視制御データ、例えば、照明機器３の作動状態を示す状態データの送信を要求する送信要求データをターミナルアダプタＴＡを介して受信すると（Ｆ１）、そのターミナルアダプタＴＡとＩＳＤＮボード１１Ｃとの接続時に受信した、通信端末装置ＰＣの電話番号データを、記憶部１４のルーティングテーブルに保持した後（Ｆ２）、監視制御部１３により端末器２の各々に対して、照明機器３の状態を問い合わせることにより、照明機器３の状態を取得する（Ｆ３）。
【００４１】
そして、回線判断部１６は、記憶部１４のルーティングテーブルに保持されたデータに含まれる市外局番データより、その市外局番データが市外を示すか市内を示すかを判別し（Ｆ４）、市外を示しているときには、監視制御データ作成部１２は、記憶部１４のＣＧＩプログラムにより、監視制御部１３により取得した照明器具３の状態を基にして、例えば図３（ｂ）のデータを作成する（Ｆ５）。
【００４２】
一方、回線判断部１６における判別をした結果、市外局番データが市内を示しているときには（Ｆ４）、監視制御データ作成部１２は、記憶部１４のＣＧＩプログラムにより、監視制御部１３により取得した照明器具３の状態を基にして、例えば図３（ｃ）のデータを作成する（Ｆ６）。その後、ＩＳＤＮボード１１Ｃは、監視制御データ作成部１２により作成したデータを、広域ネットワーク、すなわち、ＩＳＤＮ回線網を介して、通信端末装置ＰＣに送信する（Ｆ７）。
【００４３】
なお、図１０では、通信端末装置ＰＣより送信要求データをターミナルアダプタＴＡを介して受信したときの動作例について説明したが、送信要求データをモデムＭを介して受信したときについても、同様の動作をする。なお、この場合では、モデムＭは、発信者番号通知サービスに加入済みの電話回線に接続することが必須である。
【００４４】
図１１は、本発明の第７の動作例について説明するためのフローチャートである。監視制御装置１は、通信端末器ＰＣより、照明機器３の監視制御データ、例えば、照明機器３の作動状態を示す状態データの送信を要求する送信要求データをターミナルアダプタＴＡを介して受信すると（Ｇ１）、そのターミナルアダプタＴＡとＩＳＤＮボード１１Ｃとの接続時に受信した、通信端末装置ＰＣの電話番号データを、記憶部１４のルーティングテーブルに保持した後（Ｇ２）、監視制御部１３により端末器２の各々に対して、照明機器３の状態を問い合わせることにより、照明機器３の状態を取得する（Ｇ３）。
【００４５】
そして、回線判断部１６は、記憶部１４のルーティングテーブルに保持されたデータより、送信要求データが無線通信網を経由したかを示すデータ、すなわち、通信端末装置ＰＣの電話番号データの先端部分に、例えば、「０９０」、「０７０」などが含まれているかを判別し（Ｇ４）、含まれているときには、監視制御データ作成部１２は、記憶部１４のＣＧＩプログラムにより、監視制御部１３により取得した照明器具３の状態を基にして、例えば図３（ｂ）のデータを作成する（Ｇ５）。
【００４６】
一方、回線判断部１６における判別をした結果、送信要求データが無線通信網を経由していないときには（Ｇ４）、監視制御データ作成部１２は、記憶部１４のＣＧＩプログラムにより、監視制御部１３により取得した照明器具３の状態を基にして、例えば図３（ｃ）のデータを作成する（Ｇ６）。その後、ＩＳＤＮボード１１Ｃは、監視制御データ作成部１２により作成したデータを、広域ネットワーク、すなわち、ＩＳＤＮ回線網を介して、通信端末装置ＰＣに送信する（Ｇ７）。
【００４７】
なお、図１１では、通信端末装置ＰＣより送信要求データをターミナルアダプタＴＡを介して受信したときの動作例について説明したが、送信要求データをモデムＭを介して受信したときについても、同様の動作をする。なお、この場合では、モデムＭは、発信者番号通知サービスに加入済みの電話回線に接続することが必須である。
【００４８】
図１２は、本発明の第８の動作例について説明するためのフローチャートである。監視制御装置１は、通信端末器ＰＣより、照明機器３の監視制御データ、例えば、照明機器３の作動状態を示す状態データの送信を要求する送信要求データをモデムＭを介して受信すると（Ｈ１）、その送信要求データがＳＳＬにより暗号化されているかいないかを示すデータを、記憶部１４のルーティングテーブルに保持した後（Ｈ２）、監視制御部１３により端末器２の各々に対して、照明機器３の状態を問い合わせることにより、照明機器３の状態を取得する（Ｈ３）。
【００４９】
そして、回線以外判断部１７は、記憶部１４のルーティングテーブルに保持されたデータより、送信要求データが暗号化されているかどうかを判別し（Ｈ４）、暗号化されていれば、監視制御データ作成部１２は、記憶部１４のＣＧＩプログラムにより、監視制御部１３により取得した照明器具３の状態を基にして、例えば図３（ｂ’）のデータを作成する（Ｈ６）。このとき、監視制御データ作成部１２は、記憶部１４の暗号化プログラムによりデータの暗号化をする。
【００５０】
一方、回線以外判断部１７における判別をした結果、送信要求データが暗号化されていないときには（Ｈ４）、監視制御データ作成部１２は、記憶部１４のＣＧＩプログラムにより、監視制御部１３により取得した照明器具３の状態を基にして、例えば図３（ｂ）のデータを作成する（Ｈ５）。その後、モデムボード１１Ｂは、監視制御データ作成部１２により作成したデータを、広域ネットワーク、すなわち、電話回線網を介して、通信端末装置ＰＣに送信する（Ｈ７）。
【００５１】
また、ここでは、受信した送信要求データが暗号化されているかいないかに応じて、通信端末装置ＰＣに対して送信すべきデータの内容を制限しているが、暗号化されているかいないかに応じて、異なる容量のデータを選択的に送信することもできるようにもなっており、これを本発明の第９の動作例として、図１３のフローチャートとともに説明する。
【００５２】
監視制御装置１は、通信端末器ＰＣより、照明機器３の監視制御データ、例えば、照明機器３の作動状態を示す状態データの送信を要求する送信要求データをモデムＭを介して受信すると（Ｉ１）、その送信要求データがＳＳＬにより暗号化されているかいないかを示すデータを、記憶部１４のルーティングテーブルに保持した後（Ｉ２）、監視制御部１３により端末器２の各々に対して、照明機器３の状態を問い合わせることにより、照明機器３の状態を取得する（Ｉ３）。
【００５３】
そして、回線以外判断部１７は、記憶部１４のルーティングテーブルに保持されたデータより、送信要求データが暗号化されているかどうかを判別し（Ｉ４）、暗号化されていれば、監視制御データ作成部１２は、記憶部１４のＣＧＩプログラムにより、監視制御部１３により取得した照明器具３の状態を基にして、例えば図３（ｂ’）のデータを作成する（Ｉ６）。このとき、監視制御データ作成部１２は、記憶部１４の暗号化プログラムによりデータの暗号化をする。
【００５４】
一方、回線以外判断部１７における判別をした結果、送信要求データが暗号化されていないときには（Ｉ４）、監視制御データ作成部１２は、記憶部１４のＣＧＩプログラムにより、監視制御部１３により取得した照明器具３の状態を基にして、例えば図３（ｃ）のデータを作成する（Ｉ５）。その後、モデムボード１１Ｂは、監視制御データ作成部１２により作成したデータを、広域ネットワーク、すなわち、電話回線網を介して、通信端末装置ＰＣに送信する（Ｉ７）。
【００５５】
なお、図１２，１３では、通信端末装置ＰＣより送信要求データをモデムＭを介して受信したときの動作例について説明したが、送信要求データをターミナルアダプタＴＡを介して受信したときについても、同様の動作をする。
【００５６】
図１４は、本発明の第１０の動作例について説明するためのフローチャートである。監視制御装置１は、通信端末器ＰＣより、照明機器３の監視制御データ、例えば、照明機器３の作動状態を示す状態データの送信を要求する送信要求データをモデムＭを介して受信すると（Ｊ１）、そのモデムＭとモデムボード１１Ｂとの接続時に行われる所定のネゴシェーションが完了したときのリザルトコードの値によるデータ転送速度を示すデータを、記憶部１４のルーティングテーブルに保持した後（Ｊ２）、監視制御部１３により端末器２の各々に対して、照明機器３の状態を問い合わせることにより、照明機器３の状態を取得する（Ｊ３）。
【００５７】
そして、回線判断部１６は、記憶部１４のルーティングテーブルに保持されたデータより、モデムＭのデータ転送速度を判別し（Ｊ４）、データ転送速度が３３．６Ｋｂｐｓ未満のときには、監視制御データ作成部１２は、記憶部１４のＣＧＩプログラムにより、監視制御部１３により取得した照明器具３の状態を基にして、例えば図３（ａ）のデータを作成する（Ｊ５）。
【００５８】
一方、回線判断部１６における判別をした結果、モデムＭのデータ転送速度が３３．６Ｋｂｐｓであるときには（Ｊ４）、監視制御データ作成部１２は、記憶部１４のＣＧＩプログラムにより、監視制御部１３により取得した照明器具３の状態を基にして、例えば図３（ｂ）のデータを作成する（Ｊ６）。その後、モデムボード１１Ｂは、監視制御データ作成部１２により作成したデータを、広域ネットワーク、すなわち、電話回線網を介して、通信端末装置ＰＣに送信する（Ｊ７）。
【００５９】
図１５は、本発明の第１１の動作例について説明するためのフローチャートである。監視制御装置１は、通信端末器ＰＣより、照明機器３の監視制御データ、例えば、照明機器３の作動状態を示す状態データの送信を要求する送信要求データをターミナルアダプタＴＡを介して受信すると（Ｋ１）、そのターミナルアダプタＴＡとＩＳＤＮボード１１Ｃとの接続時に行われる所定のネゴシェーションが完了したときのリザルトコードの値によるデータ転送速度を示すデータを、記憶部１４のルーティングテーブルに保持した後（Ｋ２）、監視制御部１３により端末器２の各々に対して、照明機器３の状態を問い合わせることにより、照明機器３の状態を取得する（Ｋ３）。
【００６０】
そして、回線判断部１６は、記憶部１４のルーティングテーブルに保持されたデータより、ターミナルアダプタＴＡのデータ転送速度を判別し（Ｋ４）、データ転送速度が６４Ｋｂｐｓのときには、監視制御データ作成部１２は、記憶部１４のＣＧＩプログラムにより、監視制御部１３により取得した照明器具３の状態を基にして、例えば図３（ｃ）のデータを作成する（Ｋ５）。
【００６１】
一方、回線判断部１６における判別をした結果、ターミナルアダプタＴＡのデータ転送速度が１２８Ｋｂｐｓであるときには（Ｋ４）、監視制御データ作成部１２は、記憶部１４のＣＧＩプログラムにより、監視制御部１３により取得した照明器具３の状態を基にして、例えば図３（ｄ）のデータを作成する（Ｋ６）。その後、ＩＳＤＮボード１１Ｃは、監視制御データ作成部１２により作成したデータを、広域ネットワーク、すなわち、ＩＳＤＮ回線網を介して、通信端末装置ＰＣに送信する（Ｋ７）。
【００６２】
図１６は、本発明の第１２の動作例について説明するためのフローチャートである。監視制御装置１は、通信端末器ＰＣより、照明機器３の監視制御データ、例えば、照明機器３の作動状態を示す状態データの送信を要求する送信要求データをモデムＭあるいはターミナルアダプタＴＡを介して受信すると（Ｌ１）、時計部１９より時刻データを取得し（Ｌ２）、監視制御部１３により端末器２の各々に対して、照明機器３の状態を問い合わせることにより、照明機器３の状態を取得する（Ｌ３）。
【００６３】
そして、回線以外判断部１７は、時計部１９より取得した時刻データより現在時刻、すなわち、通信端末装置ＰＣより送信要求データを受信した時刻を判別し（Ｌ４）、その時刻が午前８時から午前９時の間であるときには、監視制御データ作成部１２は、記憶部１４のＣＧＩプログラムにより、監視制御部１３により取得した照明器具３の状態を基にして、例えば図３（ｂ）のデータを作成する（Ｌ５）。なお、この時間帯に容量の小さいデータを作成するのは、通信端末装置ＰＣからの要求が殺到し、通信ネットワークにおいて、データや信号が混み合うからである。
【００６４】
一方、回線以外判断部１７における判別をした結果、通信端末装置ＰＣより送信要求データを受信した時刻が午前８時から午前９時以外であるときには（Ｌ４）、監視制御データ作成部１２は、記憶部１４のＣＧＩプログラムにより、監視制御部１３により取得した照明器具３の状態を基にして、例えば図３（ｃ）のデータを作成する（Ｌ６）。その後、モデムボード１１ＢあるいはＩＳＤＮボード１１Ｃは、監視制御データ作成部１２により作成したデータを、広域ネットワーク、すなわち、電話回線網あるいはＩＳＤＮ回線網を介して、通信端末装置ＰＣに送信する（Ｌ７）。
【００６５】
図１７は、本発明の第１３の動作例について説明するためのフローチャートであり、図１５と図１６に示す動作とを兼ね備えるものである。監視制御装置１は、通信端末器ＰＣより、照明機器３の監視制御データ、例えば、照明機器３の作動状態を示す状態データの送信を要求する送信要求データをターミナルアダプタＴＡを介して受信すると（Ｍ１）、そのターミナルアダプタＴＡとＩＳＤＮボード１１Ｃとの接続時に行われる所定のネゴシェーションが完了したときのリザルトコードの値によるデータ転送速度を示すデータを、記憶部１４のルーティングテーブルに保持した後（Ｍ２）、時計部１９より時刻データを取得し（Ｍ３）、その後、監視制御部１３により端末器２の各々に対して、照明機器３の状態を問い合わせることにより、照明機器３の状態を取得する（Ｍ４）。
【００６６】
そして、回線判断部１６により、記憶部１４のルーティングテーブルに保持されたデータより、ターミナルアダプタＴＡのデータ転送速度を判別し（Ｍ５）更に、回線以外判断部１７により、時計部１９より取得した時刻データより現在時刻、すなわち、通信端末装置ＰＣより送信要求データを受信した時刻を判別し（Ｍ６，Ｍ９）、これらの判別結果に応じて、監視制御データ作成部１２が監視制御データを選択的に作成する。
【００６７】
すなわち、回線判断部１６により判別されたデータ転送速度が６４Ｋｂｐｓであり（Ｍ５）、回線以外判断部１７により判別した現在時刻が、例えば、午前８時から午前９時の間であるときには（Ｍ６）、監視制御データ作成部１２は、記憶部１４のＣＧＩプログラムにより、監視制御部１３により取得した照明器具３の状態を基にして、例えば図３（ｂ）のデータを作成する（Ｍ７）。
【００６８】
一方、回線判断部１６により判別されたデータ転送速度が６４Ｋｂｐｓであるときに（Ｍ５）、回線以外判断部１７により判別した現在時刻が、例えば、午前８時から午前９時以外であるときには（Ｍ６）、監視制御データ作成部１２は、記憶部１４のＣＧＩプログラムにより、監視制御部１３により取得した照明器具３の状態を基にして、例えば図３（ｃ）のデータを作成する（Ｍ８）。
【００６９】
また、回線判断部１６により判別されたデータ転送速度が１２８Ｋｂｐｓであり（Ｍ５）、回線以外判断部１７により判別した現在時刻が、例えば、午前８時から午前９時の間であるときには（Ｍ９）、監視制御データ作成部１２は、記憶部１４のＣＧＩプログラムにより、監視制御部１３により取得した照明器具３の状態を基にして、例えば図３（ｃ）のデータを作成する（Ｍ１０）。
【００７０】
一方、回線判断部１６により判別されたデータ転送速度が１２８Ｋｂｐｓであるときに（Ｍ５）、回線以外判断部１７により判別した現在時刻が、例えば、午前８時から午前９時以外であるときには（Ｍ９）、監視制御データ作成部１２は、記憶部１４のＣＧＩプログラムにより、監視制御部１３により取得した照明器具３の状態を基にして、例えば図３（ｄ）のデータを作成する（Ｍ１１）。その後、ＩＳＤＮボード１１Ｃは、監視制御データ作成部１２により作成したデータを、広域ネットワーク、すなわち、ＩＳＤＮ回線網を介して、通信端末装置ＰＣに送信する（Ｍ１２）。
【００７１】
図１８は、本発明の第１４の動作例について説明するためのフローチャートである。監視制御装置１は、その記憶部１４のルーティングテーブルに、予め、通信端末器ＰＣの識別情報（例：ＩＰアドレス、電話番号など）と、その装置ＰＣのデータ処理能力（例：ＣＰＵ名称、クロック数など）とを対応付けて登録しており、通信端末装置ＰＣより、照明機器３の監視制御データ、例えば、照明機器３の作動状態を示す状態データの送信を要求する送信要求データを通信部１１（ボード１１Ａ〜１１Ｃ）を介して受信すると（Ｎ１）、回線以外判断部１７は、通信端末装置ＰＣとの接続時に受信したＩＰアドレスや電話番号などのデータを基にして、その装置ＰＣのデータ処理能力、例えば、ＣＰＵ名称データを取得する（Ｎ２）。
【００７２】
そして、監視制御装置１は、監視制御部１３により端末器２の各々に対して、照明機器３の状態を問い合わせることにより、照明機器３の状態を取得する（Ｎ３）。続いて、回線以外判断部１７により、ステップＮ２において取得したＣＰＵ名称データを判別し、判別したＣＰＵ名称データが、例えば、インテル社製８０４８６ＤＸ３３のときには（Ｎ４）、記憶部１４のＣＧＩプログラムにより、監視制御部１３により取得した照明器具３の状態を基にして、例えば図３（ｃ）のデータを作成する（Ｎ５）。
【００７３】
一方、回線以外判断部１７により、ＣＰＵ名称データが、例えば、インテル社製Ｐｅｎｔｉｕｍ３３０ＭＨｚと判別されたときには（Ｎ４）、監視制御データ作成部１２は、記憶部１４のＣＧＩプログラムにより、監視制御部１３により取得した照明器具３の状態を基にして、例えば図３（ｄ）のデータを作成する（Ｎ６）。その後、通信部１１（ボード１１Ａ〜１１Ｃ）は、監視制御データ作成部１２により作成したデータを、構内ネットワークあるいは広域ネットワークを介して、通信端末装置ＰＣに送信する（Ｎ７）。
【００７４】
図１９は、本発明の第１５の動作例について説明するためのフローチャートであり、図１５と図１８に示す動作とを兼ね備えるものである。監視制御装置１は、通信端末器ＰＣより、照明機器３の監視制御データ、例えば、照明機器３の作動状態を示す状態データの送信を要求する送信要求データをターミナルアダプタＴＡを介して受信すると（Ｏ１）、そのターミナルアダプタＴＡとＩＳＤＮボード１１Ｃとの接続時に行われる所定のネゴシェーションが完了したときのリザルトコードの値によるデータ転送速度を示すデータを、記憶部１４のルーティングテーブルに保持した後（Ｏ２）、回線以外判断部１７により、通信端末装置ＰＣとの接続時に受信したＩＰアドレスや電話番号などのデータを基にして、その装置ＰＣのデータ処理能力、例えば、ＣＰＵ名称データを取得する（Ｏ３）。
【００７５】
その後、監視制御部１３により端末器２の各々に対して、照明機器３の状態を問い合わせることにより、照明機器３の状態を取得する（Ｏ４）。そして、回線判断部１６により、記憶部１４のルーティングテーブルに保持されたデータより、ターミナルアダプタＴＡのデータ転送速度を判別し（Ｏ５）、更に、回線以外判断部１７により、ステップＯ３において取得したＣＰＵ名称データを判別し（Ｏ６，Ｏ９）、これらの判別結果に応じて、監視制御データ作成部１２が監視制御データを選択的に作成する。
【００７６】
すなわち、回線判断部１６により判別されたデータ転送速度が６４Ｋｂｐｓであり（Ｏ５）、回線以外判断部１７により判別したＣＰＵ名称データが、例えば、インテル社製８０４８６ＤＸ３３であるときには（Ｏ６）、監視制御データ作成部１２は、記憶部１４のＣＧＩプログラムにより、監視制御部１３により取得した照明器具３の状態を基にして、例えば図３（ｂ）のデータを作成する（Ｏ７）。
【００７７】
一方、回線判断部１６により判別されたデータ転送速度が６４Ｋｂｐｓであるときに（Ｏ５）、回線以外判断部１７により判別したＣＰＵ名称データが、例えば、インテル社製Ｐｅｎｔｉｕｍ３３０ＭＨｚであるときには（Ｏ６）、監視制御データ作成部１２は、記憶部１４のＣＧＩプログラムにより、監視制御部１３により取得した照明器具３の状態を基にして、例えば図３（ｃ）のデータを作成する（Ｏ８）。
【００７８】
また、回線判断部１６により判別されたデータ転送速度が１２８Ｋｂｐｓであり（Ｏ５）、回線以外判断部１７により判別したＣＰＵ名称データが、例えば、インテル社製８０４８６ＤＸ３３であるときには（Ｏ９）、監視制御データ作成部１２は、記憶部１４のＣＧＩプログラムにより、監視制御部１３により取得した照明器具３の状態を基にして、例えば図３（ｃ）のデータを作成する（Ｏ１０）。
【００７９】
一方、回線判断部１６により判別されたデータ転送速度が１２８Ｋｂｐｓであるときに（Ｏ５）、回線以外判断部１７により判別したＣＰＵ名称データが、例えば、インテル社製Ｐｅｎｔｉｕｍ３３０ＭＨｚであるときには（Ｏ９）、監視制御データ作成部１２は、記憶部１４のＣＧＩプログラムにより、監視制御部１３により取得した照明器具３の状態を基にして、例えば図３（ｄ）のデータを作成する（Ｏ１１）。その後、ＩＳＤＮボード１１Ｃは、監視制御データ作成部１２により作成したデータを、広域ネットワーク、すなわち、ＩＳＤＮ回線網を介して、通信端末装置ＰＣに送信する（Ｏ１２）。
【００８０】
図２０は、本発明の第１６の動作例について説明するためのフローチャートである。監視制御装置１は、その記憶部１４のルーティングテーブルに、予め、通信端末器ＰＣの識別情報（例：ＩＰアドレス、電話番号など）と、その装置ＰＣの表示処理能力（例：装置ＰＣが備えるブラウザの表示機能データ）とを対応付けて登録しており、通信端末装置ＰＣより、照明機器３の監視制御データ、例えば、照明機器３の作動状態を示す状態データの送信を要求する送信要求データを通信部１１（ボード１１Ａ〜ボード１１Ｃ）を介して受信すると（Ｐ１）、回線以外判断部１７は、通信端末装置ＰＣとの接続時に受信したＩＰアドレスや電話番号などのデータを基にして、その装置ＰＣの表示処理能力、例えば、装置ＰＣが備えるブラウザの表示機能データを取得する（Ｐ２）。
【００８１】
そして、監視制御装置１は、監視制御部１３により端末器２の各々に対して、照明機器３の状態を問い合わせることにより、照明機器３の状態を取得する（Ｐ３）。続いて、回線以外判断部１７は、ステップＰ３において取得した表示機能データを基にして、装置ＰＣのブラウザに画像再生機能を備えるか否かを判別し（Ｐ４）、画像表示機能を備えずにテキスト表示機能のみを備えているときには、監視制御データ作成部１２は、記憶部１４のＣＧＩプログラムにより、監視制御部１３により取得した照明器具３の状態を基にして、例えば図３（ａ）のデータを作成する（Ｐ５）。
【００８２】
一方、回線以外判断部１７により、装置ＰＣのブラウザに画像再生機能を備えていると判別したときには（Ｐ４）、監視制御データ作成部１２は、記憶部１４のＣＧＩプログラムにより、監視制御部１３により取得した照明器具３の状態を基にして、例えば図３（ｄ）のデータを作成する（Ｐ６）。その後、通信部１１（ボード１１Ａ〜１１Ｃ）は、監視制御データ作成部１２により作成したデータを、構内ネットワークあるいは広域ネットワークを介して、通信端末装置ＰＣに送信する（Ｐ７）。
【００８３】
図２１は、本発明の第１７の動作例について説明するためのフローチャートであり、図１０と図２０に示す動作とを兼ね備えるものである。監視制御装置１は、通信端末器ＰＣより、照明機器３の監視制御データ、例えば、照明機器３の作動状態を示す状態データの送信を要求する送信要求データをターミナルアダプタＴＡを介して受信すると（Ｑ１）、そのターミナルアダプタＴＡとＩＳＤＮボード１１Ｃとの接続時に受信した、通信端末装置ＰＣの電話番号データを、記憶部１４のルーティングテーブルに保持し（Ｑ２）、回線以外判断部１７により、通信端末装置ＰＣとの接続時に受信したＩＰアドレスや電話番号などのデータを基にして、その装置ＰＣの表示処理能力、例えば、装置ＰＣが備えるブラウザの表示機能データを取得する（Ｑ３）。
【００８４】
そして、監視制御部１３により端末器２の各々に対して、照明機器３の状態を問い合わせることにより、照明機器３の状態を取得する（Ｑ４）。続いて、回線判断部１６により、記憶部１４のルーティングテーブルに保持された電話番号データに含まれる市外局番データが、市外を示すか市内を示すかを判別し（Ｑ５）、更に、回線以外判断部１７により、ステップＰ３において取得した表示機能データを基にして、装置ＰＣのブラウザに画像再生機能を備えるか否かを判別し（Ｑ６，Ｑ９）、これらの判別結果に応じて、監視制御データ作成部１２が監視制御データを選択的に作成する。
【００８５】
すなわち、市外局番データが市外を示しているときに（Ｑ５）、装置ＰＣのブラウザに画像表示機能を備えておらず、テキスト表示機能のみを備えている場合では（Ｑ６）、監視制御データ作成部１２は、記憶部１４のＣＧＩプログラムにより、監視制御部１３により取得した照明器具３の状態を基にして、例えば図３（ａ）のデータを作成する（Ｑ７）。
【００８６】
一方、市外局番データが市外を示しているときに（Ｑ５）、装置ＰＣのブラウザに画像表示機能を備えている場合では（Ｑ６）、監視制御データ作成部１２は、記憶部１４のＣＧＩプログラムにより、監視制御部１３により取得した照明器具３の状態を基にして、例えば図３（ｂ）のデータを作成する（Ｑ８）。また、市外局番データが市内を示しているときに（Ｑ５）、装置ＰＣのブラウザに画像表示機能を備えていず、テキスト表示機能のみを備えている場合では（Ｑ９）、監視制御データ作成部１２は、記憶部１４のＣＧＩプログラムにより、監視制御部１３により取得した照明器具３の状態を基にして、例えば図３（ａ）のデータを作成する（Ｑ１０）。
【００８７】
一方、市外局番データが市内を示しているときに（Ｑ５）、装置ＰＣのブラウザに画像表示機能を備えている場合では（Ｑ６）、監視制御データ作成部１２は、記憶部１４のＣＧＩプログラムにより、監視制御部１３により取得した照明器具３の状態を基にして、例えば図３（ｃ）のデータを作成する（Ｑ１１）。その後、ＩＳＤＮボード１１Ｃは、監視制御データ作成部１２により作成したデータを、広域ネットワーク、すなわち、ＩＳＤＮ回線網を介して、通信端末装置ＰＣに送信する（Ｑ１２）。
【００８８】
図２２は、本発明の第１８の動作例について説明するためのフローチャートである。監視制御装置１は、その記憶部１４のルーティングテーブルに、予め、装置１自身のデータ処理能力、例えば、ＣＰＵ１０の名称データを登録しており、通信端末装置ＰＣより、照明機器３の監視制御データ、例えば、照明機器３の作動状態を示す状態データの送信を要求する送信要求データを通信部１１（ボード１１Ａ〜ボード１１Ｃ）を介して受信すると（Ｒ１）、回線以外判断部１７は、ＣＰＵ１０の名称データを取得する（Ｒ２）。
【００８９】
そして、監視制御装置１は、監視制御部１３により端末器２の各々に対して、照明機器３の状態を問い合わせることにより、照明機器３の状態を取得する（Ｒ３）。続いて、回線以外判断部１７は、ステップＲ３において取得したＣＰＵ１０の名称データを判別し（Ｒ４）、例えば、インテル社製８０４８６ＤＸ３３のときには、監視制御データ作成部１２は、記憶部１４のＣＧＩプログラムにより、監視制御部１３により取得した照明器具３の状態を基にして、例えば図３（ｃ）のデータを作成する（Ｒ５）。
【００９０】
一方、回線以外判断部１７により、ＣＰＵ１０の名称データが、例えば、インテル社製Ｐｅｎｔｉｕｍ３３０ＭＨｚであると判別したときには（Ｒ４）、監視制御データ作成部１２は、記憶部１４のＣＧＩプログラムにより、監視制御部１３により取得した照明器具３の状態を基にして、例えば図３（ｄ）のデータを作成する（Ｒ６）。その後、通信部１１（ボード１１Ａ〜１１Ｃ）は、監視制御データ作成部１２により作成したデータを、構内ネットワークあるいは広域ネットワークを介して、通信端末装置ＰＣに送信する（Ｒ７）。
【００９１】
図２３は、本発明の第１９の動作例について説明するためのフローチャートであり、図１５と図２２に示す動作とを兼ね備えるものである。監視制御装置１は、通信端末器ＰＣより、照明機器３の監視制御データ、例えば、照明機器３の作動状態を示す状態データの送信を要求する送信要求データをターミナルアダプタＴＡを介して受信すると（Ｓ１）、そのターミナルアダプタＴＡとＩＳＤＮボード１１Ｃとの接続時に行われる所定のネゴシェーションが完了したときのリザルトコードの値によるデータ転送速度を示すデータを、記憶部１４のルーティングテーブルに保持した後（Ｓ２）、回線以外判断部１７により、装置１自身のデータ処理能力、すなわち、ＣＰＵ１０の名称データを取得する（Ｓ３）。
【００９２】
その後、監視制御部１３により端末器２の各々に対して、照明機器３の状態を問い合わせることにより、照明機器３の状態を取得する（Ｓ４）。そして、回線判断部１６により、記憶部１４のルーティングテーブルに保持されたデータより、ターミナルアダプタＴＡのデータ転送速度を判別し（Ｓ５）、更に、回線以外判断部１７により、ステップＳ３において取得したＣＰＵ１０の名称データを判別し（Ｓ６，Ｓ９）、これらの判別結果に応じて、監視制御データ作成部１２が監視制御データを選択的に作成する。
【００９３】
すなわち、回線判断部１６により判別されたデータ転送速度が６４Ｋｂｐｓであり（Ｓ５）、回線以外判断部１７により判別したＣＰＵ１０の名称データが、例えば、インテル社製８０４８６ＤＸ３３であるときには（Ｓ６）、監視制御データ作成部１２は、記憶部１４のＣＧＩプログラムにより、監視制御部１３により取得した照明器具３の状態を基にして、例えば図３（ｂ）のデータを作成する（Ｓ７）。
【００９４】
一方、回線判断部１６により判別されたデータ転送速度が６４Ｋｂｐｓであるときに（Ｓ５）、回線以外判断部１７により判別したＣＰＵ１０の名称データが、例えば、インテル社製Ｐｅｎｔｉｕｍ３３０ＭＨｚであるときには（Ｓ６）、監視制御データ作成部１２は、記憶部１４のＣＧＩプログラムにより、監視制御部１３により取得した照明器具３の状態を基にして、例えば図３（ｃ）のデータを作成する（Ｓ８）。
【００９５】
また、回線判断部１６により判別されたデータ転送速度が１２８Ｋｂｐｓであり（Ｓ５）、回線以外判断部１７により判別したＣＰＵ１０の名称データが、例えば、インテル社製８０４８６ＤＸ３３であるときには（Ｓ９）、監視制御データ作成部１２は、記憶部１４のＣＧＩプログラムにより、監視制御部１３により取得した照明器具３の状態を基にして、例えば図３（ｃ）のデータを作成する（Ｓ１０）。
【００９６】
一方、回線判断部１６により判別されたデータ転送速度が１２８Ｋｂｐｓであるときに（Ｓ５）、回線以外判断部１７により判別したＣＰＵ１０の名称データが、例えば、インテル社製Ｐｅｎｔｉｕｍ３３０ＭＨｚであるときには（Ｓ９）、監視制御データ作成部１２は、記憶部１４のＣＧＩプログラムにより、監視制御部１３により取得した照明器具３の状態を基にして、例えば図３（ｄ）のデータを作成する（Ｓ１１）。その後、ＩＳＤＮボード１１Ｃは、監視制御データ作成部１２により作成したデータを、広域ネットワーク、すなわち、ＩＳＤＮ回線網を介して、通信端末装置ＰＣに送信する（Ｓ１２）。
【００９７】
図２４は、本発明の第２０の動作例について説明するためのフローチャートである。監視制御装置１は、通信端末装置ＰＣより、照明機器３の監視制御データ、例えば、照明機器３の作動状態を示す状態データの送信を要求する送信要求データを通信部１１（ボード１１Ａ〜ボード１１Ｃ）を介して受信すると（Ｔ１）、監視制御部１３により端末器２の各々に対して、照明機器３の状態を問い合わせることにより、照明機器３の状態を取得する（Ｔ２）。
【００９８】
そして、回線以外判断部１７は、ＣＰＵ１０が他の処理、すなわち、端末器２の監視制御に使われているか否かを判別し（Ｔ３）、他の処理に使われているときには、監視制御データ作成部１２は、記憶部１４のＣＧＩプログラムにより、監視制御部１３により取得した照明器具３の状態を基にして、例えば図３（ｃ）のデータを作成する（Ｔ４）。
【００９９】
一方、回線以外判断部１７により、ＣＰＵ１０が他の処理に使われていない、すなわち、データの送信のために占有できると判別したときには（Ｔ３）、監視制御データ作成部１２は、記憶部１４のＣＧＩプログラムにより、監視制御部１３により取得した照明器具３の状態を基にして、例えば図３（ｄ）のデータを作成する（Ｔ５）。その後、通信部１１（ボード１１Ａ〜１１Ｃ）は、監視制御データ作成部１２により作成したデータを、構内ネットワークあるいは広域ネットワークを介して、通信端末装置ＰＣに送信する（Ｔ６）。
【０１００】
図２５は、本発明の第２１の動作例について説明するためのフローチャートであり、図１５と図２４に示す動作とを兼ね備えるものである。監視制御装置１は、通信端末器ＰＣより、照明機器３の監視制御データ、例えば、照明機器３の作動状態を示す状態データの送信を要求する送信要求データをターミナルアダプタＴＡを介して受信すると（Ｕ１）、そのターミナルアダプタＴＡとＩＳＤＮボード１１Ｃとの接続時に行われる所定のネゴシェーションが完了したときのリザルトコードの値によるデータ転送速度を示すデータを、記憶部１４のルーティングテーブルに保持した後（Ｕ２）、監視制御部１３により端末器２の各々に対して、照明機器３の状態を問い合わせることにより、照明機器３の状態を取得する（Ｕ３）。
【０１０１】
そして、回線判断部１６により、記憶部１４のルーティングテーブルに保持されたデータより、ターミナルアダプタＴＡのデータ転送速度を判別し（Ｕ４）、更に、回線以外判断部１７により、ＣＰＵ１０が他の処理、すなわち、端末器２の監視制御に使われているか否かを判別し（Ｕ５，Ｕ８）、これらの判別結果に応じて、監視制御データ作成部１２が監視制御データを選択的に作成する。
【０１０２】
すなわち、回線判断部１６により判別されたデータ転送速度が６４Ｋｂｐｓであり（Ｕ４）、回線以外判断部１７により、ＣＰＵ１０が他の処理に使われていると判別されたときには（Ｕ５）、監視制御データ作成部１２は、記憶部１４のＣＧＩプログラムにより、監視制御部１３により取得した照明器具３の状態を基にして、例えば図３（ｂ）のデータを作成する（Ｕ６）。
【０１０３】
一方、回線判断部１６により判別されたデータ転送速度が６４Ｋｂｐｓであるときに（Ｕ４）、回線以外判断部１７により、ＣＰＵ１０が他の処理に使われていない、すなわち、データの送信のために占有できると判別したときには（Ｕ５）、監視制御データ作成部１２は、記憶部１４のＣＧＩプログラムにより、監視制御部１３により取得した照明器具３の状態を基にして、例えば図３（ｃ）のデータを作成する（Ｕ７）。
【０１０４】
また、回線判断部１６により判別されたデータ転送速度が１２８Ｋｂｐｓであり（Ｕ４）、回線以外判断部１７により、ＣＰＵ１０が他の処理に使われていると判別されたときには（Ｕ８）、監視制御データ作成部１２は、記憶部１４のＣＧＩプログラムにより、監視制御部１３により取得した照明器具３の状態を基にして、例えば図３（ｃ）のデータを作成する（Ｕ９）。
【０１０５】
一方、回線判断部１６により判別されたデータ転送速度が１２８Ｋｂｐｓであるときに（Ｕ４）、回線以外判断部１７により、ＣＰＵ１０が他の処理に使われていない、すなわち、データの送信のために占有できると判別したときには（Ｕ８）、監視制御データ作成部１２は、記憶部１４のＣＧＩプログラムにより、監視制御部１３により取得した照明器具３の状態を基にして、例えば図３（ｄ）のデータを作成する（Ｕ１０）。その後、ＩＳＤＮボード１１Ｃは、監視制御データ作成部１２により作成したデータを、広域ネットワーク、すなわち、ＩＳＤＮ回線網を介して、通信端末装置ＰＣに送信する（Ｕ１１）。
【０１０６】
ここで、上記に説明した監視制御システムでは、監視制御装置１は、通信端末装置ＰＣとの通信を繰り返すことにより、通信端末装置ＰＣに送信すべきデータを適時変更する機能を備えている。すなわち、図１８を用いて説明すれば、監視制御装置１は、通信端末装置ＰＣより、例えば、構内ネットワークを介して送信要求を受けたときに、その装置ＰＣのＣＰＵ名称がインテル社製８０４８６ＤＸ３３のときには、図３（ｃ）のデータを送信する一方、通信端末装置ＰＣのＣＰＵ名称がインテル社製Ｐｅｎｔｉｕｍ３３０ＭＨｚのときには、図３（ｄ）のデータを送信するといったルールを規定しているが、構内ネットワークにおけるコリジョンによりデータを再送した回数が所定数以上になったときには、８０４８６ＤＸ３３搭載装置には、図３（ｂ）のデータを送信する一方、Ｐｅｎｔｉｕｍ３３０ＭＨｚ搭載装置には、図３（ｃ）のデータを送信するというようにルールを変更し、次回の通信以降は、変更したルールに応じて、データを送信するようにしている。
【０１０７】
また、監視制御装置１は、通信端末装置ＰＣとの接続時に、通信ネットワークにおける、信号あるいはデータの送受信状況に応じて、通信端末装置ＰＣに送信すべきデータを変更できるようにもなっている。すなわち、図１８を用いて説明すれば、通信端末装置ＰＣより、例えば、構内ネットワークを介して送信要求を受けたときには、その装置ＰＣのＣＰＵ名称がインテル社製８０４８６ＤＸ３３のときには、図３（ｃ）のデータを送信する一方、通信端末装置ＰＣのＣＰＵ名称がインテル社製Ｐｅｎｔｉｕｍ３３０ＭＨｚのときには、図３（ｄ）のデータを送信するといったルールを規定しているが、構内ネットワークにおけるコリジョンにより、通信端末装置ＰＣとの接続に要する時間が所定時間以上になったときには、８０４８６ＤＸ３３搭載装置には、図３（ｂ）のデータを送信する一方、Ｐｅｎｔｉｕｍ３３０ＭＨｚ搭載装置には、図３（ｃ）のデータを送信するようにしている。
【０１０８】
なお、上記した実施の形態では、監視制御データ作成部１２は、通信端末装置ＰＣに送信すべきデータを、記憶部１４のＣＧＩプログラムにより選択的に作成しているが、本発明ではこの例に限られず、監視制御データ（ａ）〜（ｄ）の基となる複数のＨＴＭＬファイルを格納したデータベースを更に用意し、監視制御データ作成部１２は、このデータベースより最適なＨＴＭＬファイルを選択して読みだし、読みだしたＨＴＭＬファイルに、照明機器３の状況を付加して、監視制御データを作成するようにしてもよい。
【符号の説明】
【０１０９】
１        監視制御装置
３        照明機器
１４      記憶部
１８      プログラム記録媒体
ＰＣ      通信端末装置
Ｍ        モデム
ＴＡ      ターミナルアダプタ
【図１】
0005033850.tif 000002
【図２】
0005033850.tif 000003
【図３】
0005033850.tif 000004
【図４】
0005033850.tif 000005
【図５】
0005033850.tif 000006
【図６】
0005033850.tif 000007
【図７】
0005033850.tif 000008
【図８】
0005033850.tif 000009
【図９】
0005033850.tif 000010
【図１０】
0005033850.tif 000011
【図１１】
0005033850.tif 000012
【図１２】
0005033850.tif 000013
【図１３】
0005033850.tif 000014
【図１４】
0005033850.tif 000015
【図１５】
0005033850.tif 000016
【図１６】
0005033850.tif 000017
【図１７】
0005033850.tif 000018
【図１８】
0005033850.tif 000019
【図１９】
0005033850.tif 000020
【図２０】
0005033850.tif 000021
【図２１】
0005033850.tif 000022
【図２２】
0005033850.tif 000023
【図２３】
0005033850.tif 000024
【図２４】
0005033850.tif 000025
【図２５】
0005033850.tif 000026